【事件の表示】
　特願２００６−１２８０６９「蛍光Ｘ線による溶液分析方法」拒絶査定不服審判事件〔平成１８年　９月１４日出願公開、特開２００６−２４２９６４〕について、次のとおり審決する。
【結　論】
　本件審判の請求は、成り立たない。
【理　由】
１．手続の経緯・本願発明
　本願は，平成８年１１月１５日（パリ条約による優先権主張１９９５年１１月１５日，フランス）に出願した特願平８−３０５１３８号の一部を，平成１８年５月２日に新たな特許出願としたものであって，平成１９年４月１８日付けで拒絶査定がされ，これに対し，同年７月２３日に拒絶査定不服審判の請求がされたものであって，その請求項１に係る発明は，特許請求の範囲の請求項１に記載された次のとおりのものと認める。（以下，「本願発明」という。）
　
　「【請求項１】
　蛍光Ｘ線により溶液を分析する方法において、
　励起Ｘ線により溶液を励起し、それによって励起した溶液から放出された分光Ｘ線を分析し、
　前記溶液を受容するための手段であって、前記励起及び分光Ｘ線に対し透明な少なくとも一つの領域（１８）を有する受容手段（４、８、１０）であって、前記励起及び分光Ｘ線が前記少なくとも一つの領域を通過する受容手段を用い、
　前記溶液に対し外部にある基準素子（６）を用い、前記基準素子は前記受容手段と一体になっており、前記領域とこの素子との間に前記溶液が存在するような仕方で前記領域に相対して配置され、この素子が前記励起Ｘ線を受けた時、前記分光Ｘ線とは異なった基準Ｘ線を放出することができ、然も、前記領域が前記基準Ｘ線に対し透明であり、しかも前記基準Ｘ線が前記分光Ｘ線と共に分析され、前記基準Ｘ線は、前記溶液の分析中に起き易い測定ドリフトを補正するために使用される、
前記方法。」
　
２．引用例
　原査定の拒絶の理由に引用された，本願優先日前に頒布された刊行物である，特開昭６３−３０５２３７号公報（以下，「引用例」という。）には，図面とともに次の事項が記載されている。（下線は当審にて付加した。）
　
（ア）「２．特許請求の範囲
　
試料と励起させるＸ線を発生させるためのＸ線源
Ｘ線によって励起された試料からの螢光Ｘ線を検出するためのＸ線検出器
Ｘ線検出器によって検出されたＸ線をそのエネルギーによって弁別する
螢光Ｘ線測定装置
溶液試料を直接測定して溶液中の金属元素の濃度を求める場合に用いられる、共存元素の吸収効果を補正するための外標準金属板を持つ
螢光Ｘ線液体試料測定法
　
（イ）「〔問題点を解決するための手段〕
　本発明は、前記の欠点を無くすために開発されたものであり、主たる構成要件は、溶液中の共存元素の濃度変化に知る為の
外標準試料としての金属板を、試料に対し一次Ｘ線の照射面とは反対側に持つ液体試料容器
この金属板より発する螢光Ｘ線強度と液体試料中の金属元素の螢光Ｘ線強度とその比を求めることにより目的の金属元素濃度を測定する
〔作用〕
　目的元素の螢光Ｘ線強度は、共存元素の濃度に依存して変化するが、溶液試料の厚みが小さい場合、
外標準金属板より発する螢光Ｘ線もこれと同様に変化するため、両者の比を（１）式により求め、これを濃度計算式（２）に用いることで、共存元素の吸収効果を補正することが出来る
Ｒ
ｉｊ
＝Ｉ
ｉｊ
／ｅ
ｊ
　・・・（１）
Ｗｉｊ＝ａｉ＋Ｒｉｊ（ｂｉ＋Σｋ＝１ｎＣｉｋ・Ｒｉｊ)（ｊ＝１〜ｍ）・・・（２）
　ここで、ｎは測定元素数，ｍは標準溶液の数，
Ｉ
ｉｊ
はｊ番目の溶液のｉ番目の元素の螢光Ｘ線強度，ｅ
ｊ
はｊ番目の溶液の外標準元素の螢光Ｘ線強度
　
（ウ）「〔実施例〕
　以下、本発明を一実施例に示した図面に基づき詳細に説明する。第１図は本発明の液体試料容器の断面図である。
Ｘ線源からの一次Ｘ線は、容器の上面に照射される
金属板の表面は溶液との化学反応を防止するため、高分子薄膜３により被われている
溶液試料４はこの上に注入され、容器フタ６により押さえられる
保持されている
容器フタ６は容器１と同様に樹脂でできており、中央部はＸ線が透過するよう、高分子薄膜７が貼り付けられている
　第２図は本発明の実施例のブロック図である。図中、符号８で示されるものは
Ｘ線源であり、ここより放射される一次Ｘ線１０が
溶液試料を含む容器１１に照射される
溶液中の金属元素及び外標準金属板より発生する二次Ｘ線１３は、Ｘ線検出器１４によって検出され、電気信号に変換される。変換された電気信号は、プリアンプ１５及びリニアアンプ１６によって電気的に増幅される。増幅された電気信号は波高弁別器１７によって波高弁別され、溶液中の各金属元素及び外標準金属元素の各々の螢光Ｘ線計数値として、ＣＰＵ装置１８に送られる
（１）式及び（２）式により共存元素の補正を行い、目的元素の濃度を算出する
　
　これらの記載から，引用例には「螢光Ｘ線液体試料測定法として，
溶液試料に一次Ｘ線を照射し，Ｘ線によって励起された試料からの螢光Ｘ線を検出して螢光Ｘ線強度を求め，
液体試料容器に溶液試料が注入され，Ｘ線が透過するよう高分子薄膜が中央部に貼り付けられた容器フタにより容器中に溶液試料が保持され，
外標準試料としての金属板を，試料に対し一次Ｘ線の照射面とは反対側に，高分子薄膜により被われて，液体試料容器に設け，
溶液中の金属元素及び外標準金属板より発生する二次Ｘ線は，波高弁別され，溶液中の各金属元素及び外標準金属元素の各々の螢光Ｘ線強度が求められ，
両者の比を求め，これを濃度計算式に用いることで，共存元素の吸収効果を補正して溶液中の金属元素の濃度が求められる，方法。」の発明（以下、「引用発明」という。）が記載されているものと認められる。
　
３．対比
　本願発明と引用発明とを対比する。
　引用発明の「一次Ｘ線」，「試料からの蛍光Ｘ線」は，それぞれ本願発明の「励起Ｘ線」，「分光Ｘ線」に相当する。
　また，引用発明は，「溶液中の金属元素」「より発生する二次Ｘ線」を，「波高弁別」し，「溶液中の各金属元素」「の各々の螢光Ｘ線強度」を求め，「溶液中の金属元素の濃度」を求める方法であるから，引用発明の「螢光Ｘ線液体試料測定法」は，本願発明の「蛍光Ｘ線により溶液を分析する方法」に相当する。
　さらに，引用発明の「液体試料容器」及び「容器フタ」について，容器フタの「Ｘ線が透過するよう高分子薄膜が中央部に貼り付けられた」構成は，一次Ｘ線並びに溶液中の金属元素及び外標準金属板より発生する二次Ｘ線が透過するために設けられたものであり，「容器フタ」により容器中に溶液試料が保持されるのであるから，引用発明の「液体試料容器」及び「容器フタ」は，本願発明の「受容手段」に相当する。
　そして，引用発明の「外標準金属板」は，「試料に対し一次Ｘ線の照射面とは反対側に，高分子薄膜により被われて，液体試料容器に設け」られるものであるから，本願発明の「基準素子」に相当し，しかも，引用発明の「外標準金属板」は，「溶液中の金属元素及び外標準金属板より発生する二次Ｘ線は，波高弁別され，溶液中の各金属元素及び外標準金属元素の各々の螢光Ｘ線強度が求められ」るのであり，この波高弁別され，各々の螢光Ｘ線強度が求められることは，溶液中の金属元素及び外標準金属板とが異なった蛍光Ｘ線を放出し，共に分析されることであるから，上記容器フタについての構成も併せみて，引用発明の「外標準金属板」については，本願発明の「この素子が前記励起Ｘ線を受けた時、前記分光Ｘ線とは異なった基準Ｘ線を放出することができ、然も、前記領域が前記基準Ｘ線に対し透明であり、しかも前記基準Ｘ線が前記分光Ｘ線と共に分析され」る点でも相当している。
　
　そうすると、本願発明と引用発明とは、「蛍光Ｘ線により溶液を分析する方法において、
　励起Ｘ線により溶液を励起し、それによって励起した溶液から放出された分光Ｘ線を分析し、
　前記溶液を受容するための手段であって、前記励起及び分光Ｘ線に対し透明な少なくとも一つの領域（１８）を有する受容手段（４、８、１０）であって、前記励起及び分光Ｘ線が前記少なくとも一つの領域を通過する受容手段を用い、
　前記溶液に対し外部にある基準素子（６）を用い、前記基準素子は前記受容手段と一体になっており、前記領域とこの素子との間に前記溶液が存在するような仕方で前記領域に相対して配置され、この素子が前記励起Ｘ線を受けた時、前記分光Ｘ線とは異なった基準Ｘ線を放出することができ、然も、前記領域が前記基準Ｘ線に対し透明であり、しかも前記基準Ｘ線が前記分光Ｘ線と共に分析される、
前記方法。」である点で一致し、次の点で相違する。
　
（相違点）本願発明では「前記基準Ｘ線は、前記溶液の分析中に起き易い測定ドリフトを補正するために使用され」るのに対し、引用発明では「外標準金属板より発生する二次Ｘ線」は「共存元素の吸収効果を補正」するために用いられる点。
　
４．判断
　上記相違点について判断する。
　引用例には，共存元素の吸収効果を補正して目的の金属元素濃度を測定するために，「目的元素の螢光Ｘ線強度」と「外標準金属板より発する螢光Ｘ線」の強度の比を求め（（１）式），標準溶液に関して，その比を用いて最小自乗法により作成した濃度計算式（２）式によって，目的元素の濃度を算出することが示されている（摘記事項（イ））。上記の比を求める式である（１）式は，「ｊ番目の溶液のｉ番目の元素の螢光Ｘ線強度Ｉｉｊ」と「ｊ番目の溶液の外標準元素の螢光Ｘ線強度ｅｊ」との比を求めるものである。
すなわち，目的の元素の蛍光Ｘ線強度と標準元素の蛍光Ｘ線強度の比に基づいて求めるものである。
　これらの蛍光Ｘ線強度は，実際に測定される値であり，測定系の変動の影響を受けるものであるが，このように比を求めることで，実際に測定される値が共通して影響を受ける，測定系の変動を打ち消すことができることは，当業者における技術常識である。
　ここで，本願の発明の詳細な説明には，「測定ドリフト」に関して次のように記載されている（下線は当審にて付加した）。
（ａ）「【０００９】
  更に、これらの既知の技術で用いられる装置は、多かれ少なかれ、長期間の
測定ドリフト(drift）
このドリフトは測定誤差をもたらし易い
（ｂ）「【００４８】
  エネルギー分散Ｘ線分光器を用いて分析を行う場合には、
信号増幅にドリフトが起きる
  
このドリフトは、得られる蛍光Ｘ線スペクトルのエネルギーの変位として現れる
【００４９】
  好きな所に基準ピークを持たせることにより、
この増幅ドリフト
（ｃ）「【００７１】
  もし溶液媒体に変化がなければ、基準ピーク（ジルコニウムからのピークＢ）の強度に対する分析すべきピーク（ウランからのピークＡ）の強度の簡単な比により、
励起源（Ｘ線管）の変動の影響
【００７２】
  元素の濃度の測定は、標準溶液との比較により行われる。
  第一工程では、標準溶液と照らし合わせて準位を定める。
  考察する信号は、基準素子からの強度に対する決定すべき元素からの強度の比である。
検量線から得た係数により、未知の溶液の濃度を決定することができる。
【００７３】
  励起源がＸ線管である装置の場合を考察する。
【００７４】
  図４は、
ウラン信号の強度Ｉ（Ｕ）対ジルコニウム信号Ｉ（Ｚｒ）の強度に対する比Ｒを取ることにより得られた検量線
  ｘ軸にはｍｇ／ｌで表したウランの濃度Ｃが示されている。
  ｙ軸には上述の比Ｒが示してある。
  
この比Ｒにより、Ｘ線管の変動による影響を除くことができる
【００７５】
  図５は計数、Ｎｃｐｓとして表した
ウランに関する強度の変動
比Ｒの変動
【００７６】
  Ｘ線管電流強度（ｍＡで表してある）も図５に示されている。
【００７７】
  図５に示されているように、
ウランから来た信号は、Ｘ線管からの強度の変動の関数である
【００７８】
  一方、比Ｒは、統計的変動内で一定なままである。
  この比はＸ線管からの強度の変動には無関係である。
【００７９】
  媒体を変えた場合には、もしそれらが既知であるならば、励起源（Ｘ線管）の変動の影響をなくすため、同様なことを行うことができる。」
　これらに記載されるように，本願における「測定ドリフト」とは，「増幅ドリフト」や，「励起源（Ｘ線管）の変動」によって与えられるもの，すなわち測定系の変動の影響を受けるものである。してみると，引用発明の構成によって，測定系の変動の影響を打ち消すことができることが，当業者における技術常識なのであるから，引用発明の構成に基づいて，測定ドリフトを補正するようにすることは，当業者であれば容易に為し得たものである。
　
　なお，請求人は審判請求理由において，引用例に開示された方法は分析開始前に測定装置を校正するのみで，溶液の分析中に起きやすい測定ドリフトを補正することを可能にはしない旨主張している。
　この点について，引用例では，標準溶液を用いて濃度計算式（２）を作成しているが，実際の測定（分析中）においては，目的元素の螢光Ｘ線強度と外標準金属板より発する螢光Ｘ線の強度の比を（１）式で求め，その比を用いて濃度計算式（２）で目的元素の濃度を算出しており，この（１）式を用いることで，上述したように，測定ドリフトを補正することができるのである。すなわち，分析開始前に測定装置を校正するのみではなく，分析中に測定ドリフトを補正することが，引用例には開示されている。
　一方，本願においては，「ウラン信号の強度Ｉ（Ｕ）対ジルコニウム信号Ｉ（Ｚｒ）の強度に対する比Ｒを取ることにより得られた検量線」を用いて，「この比Ｒにより、Ｘ線管の変動による影響を除くことができる」（【００７４】）としており，この「検量線」及び「比Ｒ」は，それぞれ引用例における濃度標準式（２）及び比を求める（１）式に相当するものであり，引用例と同様にして濃度を求めることを行っている。
　してみると，引用例には本願発明の特徴が開示も示唆もされていないとする請求人の主張には，理由がない。
　
　そして、本願発明の作用効果は，引用発明及び当業者における技術常識から、当業者であれば予測できる範囲のものである。
　
５．むすび
　以上の通り、本願発明は、引用発明及び当業者における技術常識に基づいて、当業者が容易に発明をすることができたものであるから、特許法２９条２項の規定により特許を受けることができない。
　
　したがって、請求項２乃至９に係る発明について審理するまでもなく、本件出願は拒絶されるべきものである。
　
　よって、結論のとおり審決する。